(57)【特許請求の範囲】
【請求項１】
車両コンポーネント用の調整装置であって、
互いに対して可動に配列された第１継手及び第２継手と、
前記第１継手と前記第２継手との間に配置されて前記第１継手及び前記第２継手の相対動を制御する偏心器部材と、
前記第１継手と同軸の駆動器であって、前記駆動器からのトルクを前記調整装置に入力する駆動器と
を含み、
前記偏心器部材は、前記第１継手からの前記トルクを、前記第１継手が前記第２継手上を転動するように伝達し、
前記駆動器は前記駆動器上に配列されて前記偏心器部材を駆動する駆動装置を含み、
前記駆動器と前記偏心器部材との間には常に直接摩擦接続が維持され、
前記駆動器が回転すると前記駆動器からのトルクは、前記直接摩擦接続による摩擦力によって前記偏心器部材に伝達されて前記第１継手及び前記第２継手の動きが制御される調整装置。
【請求項２】
前記駆動装置が前記偏心器部材と協働しないニュートラル位置を含む、請求項１に記載の調整装置。
【請求項３】
前記直接摩擦接続は、前記駆動装置が前記偏心器部材と協働する前に生じる、請求項２に記載の調整装置。
【請求項４】
前記偏心器部材は内半径（Ｒ）を有し、かつ、前記駆動器は、前記偏心器部材の前記内半径（Ｒ）と協働する外半径（ｒ）を有する、請求項３に記載の調整装置。
【請求項５】
前記駆動装置から離れたところの前記直接摩擦接続は、１対１．５〜１対２．５の分割箇所で生じる、請求項４に記載の調整装置。
【請求項６】
２つの偏心器部材を含む、請求項１に記載の調整装置。
【請求項７】
２つの前記偏心器部材の間に作用するばねをさらに含む、請求項６に記載の調整装置。
【請求項８】
前記偏心器部材の外半径は支承シェルと協働する、請求項６に記載の調整装置。
【請求項９】
前記駆動器は、前記偏心器部材に係合する駆動ピン、及びブッシングを含み、
前記駆動ピンは前記ブッシングに接続される、請求項１に記載の調整装置。
【請求項１０】
前記駆動ピンの両端には閉止プレートが設けられる、請求項９に記載の調整装置。
【請求項１１】
自動車において使用される車両シートのバックレスト用の調整装置であって、
間に配置された偏心器手段によって互いに対する相対位置を変更することができる第１継手及び第２継手と、
前記偏心器手段を回転させる駆動器要素であって、前記第１継手と同軸の駆動器要素と
を含み、
前記調整装置は、前記第１継手に回転固定的に接続された中心要素を有し、
前記駆動器要素は、前記中心要素との重なり領域に取り付けられ、
前記駆動器要素と前記偏心器手段との間には常に直接摩擦接続が維持され、
前記駆動器要素が回転すると前記駆動器要素からのトルクは、前記直接摩擦接続による摩擦力によって前記偏心器手段に伝達されて前記第１継手及び前記第２継手の動きが制御される調整装置。
【請求項１２】
前記駆動器要素は、前記中心要素と、前記第１継手に回転固定的に接続された継手要素とによって軸方向に固定されて設けられる、請求項１１に記載の調整装置。
【請求項１３】
前記駆動器要素は、前記中心要素と前記継手要素との間に配列されるカラーを含み、
前記駆動器要素は、前記中心要素の凹みの中に突出して設けられる軸方向端を含む、請求項１２に記載の調整装置。
【請求項１４】
調整装置を有する自動車シートであって、
前記調整装置は、
互いに対して可動に配列された第１継手及び第２継手と、
前記第１継手と前記第２継手との間に配置されて前記第１継手及び前記第２継手の相対動を制御する偏心器部材と、
トルクを前記調整装置に入力する駆動器であって、前記第１継手と同軸の駆動器と
を含み、
前記偏心器部材は、前記トルクを前記駆動器から前記第１継手に、前記第１継手が前記第２継手上を転動するように伝達し、
前記駆動器は前記駆動器上に配列された駆動装置であって、前記偏心器部材を駆動する駆動装置を含み、
前記駆動器と前記偏心器部材との間には常に直接摩擦接続が維持され、
前記駆動器が回転すると前記駆動器からのトルクは、前記直接摩擦接続による摩擦力によって前記偏心器部材に伝達されて前記第１継手及び前記第２継手の動きが制御される自動車シート。
【発明の詳細な説明】
【技術分野】
【０００１】
本発明は、車両コンポーネント用の、特に車両シートのバックレスト用の調整装置であって、第１継手及び第２継手を有し、その２つの継手同士の相対位置は、駆動器から前記第１継手へトルクを伝達する偏心器によって可変であり、当該第１継手は当該第２継手上を転動し、当該偏心器は少なくとも一つの偏心器手段を含み、当該少なくとも一つの偏心器手段は、当該駆動器上に配列された駆動装置によって駆動される調整装置に関する。本発明はさらに、車両コンポーネント用の、特に車両シートのバックレスト用の動力付き調整装置及び調整装置を含む車両シートであって、第１継手及び第２継手を含み、その２つの継手同士の相対位置は、偏心器手段によって可変であり、当該偏心器手段の回転は駆動器要素によって与えられる車両シートに関する。
【背景技術】
【０００２】
かかる調整装置は特許文献１により知られている。しかしながら、これは相対的に複雑な設計である。先行技術によるさらなる文献は、特許文献２である。この公開特許出願に記載される調整装置は、自由遊びを有する。しかしながら、これは必ずしも望ましいわけではなく及び／又は必ずしも必要なわけではない。自動車シートのバックレスト用の傾斜調整継手は、独国の印刷された特許明細書である特許文献３により知られている波打ち機構を含む。さらに、車両シート用の関節式継手が、独国の公開特許明細書である特許文献４により知られている。しかしながら、これら周知の傾斜調整装置の弱さは、調整装置の動力付きの実施形態において明らかとなる。特に、傾斜調整装置が日常的に操作される場合の材料上の弱さ及び／又は摩耗の増大が明らかとなる。
【先行技術文献】
【特許文献】
【０００３】
【特許文献１】国際公開第２００６／０４０３０３（Ａ２）号
【特許文献２】独国特許出願公開第１０  ２００４  ０３９  ５３８（Ａ１）号明細書
【特許文献３】独国特許第１０  ２００４  ０１１  ２６８（Ｂ３）号明細書
【特許文献４】独国特許第１０３  ０５  ４０７（Ｂ４）号明細書
【発明の概要】
【０００４】
したがって、本発明の目的は、自由遊びが存在しないか又は自由遊びが少量のみである簡単な構造の調整装置を与えることにある。本発明のさらなる目的は、高度にコンパクトかつ同時に高度に安定的な設計が選択される車両コンポーネント用の調整装置を与えることにある。その結果、かかる傾斜調整継手は第１に、その耐用年数にわたり軽量で、高コスト効率で、かつ安定した態様で製造することができる。第２に、特に電動駆動器が存在する場合及び事故の場合において、高い強度を与えることができる。
【０００５】
第１の目的は、車両コンポーネント用の、特に車両シートのバックレスト用の調整装置であって、第１継手及び第２継手を含み、その２つの継手同士の相対位置は、駆動器から第１継手へのトルクを伝達する偏心器によって可変であり、当該第１継手は当該第２継手上を転動し、当該偏心器は少なくとも一つの偏心器手段を含み、当該少なくとも一つの偏心器手段は、当該駆動器上に配列された駆動装置によって駆動され、当該駆動器が回転すると当該駆動器と当該偏心器手段との摩擦接続が少なくとも数回生じる調整装置によって達成される。
【０００６】
本発明は、車両コンポーネント用の、特に自動車コンポーネント用の調整装置に関する。好ましくは、調整装置はいわゆるリクライナである。リクライナにより、自動車シートのバックレストのシート部材に対する位置を、運転の快適性増大を目的として及び／又はバックレストの収容位置又はリクライニング位置への遷移を目的として変えることができる。特に好ましくは、かかる車両シートは、バックレストの及び／又はシート部材の右側及び左側にかかる調整装置を含む。当該調整装置はこのため、好ましくは、シャフトによって互いに接続される。車両シートは、一人以上のためのシートである。車両シートは、オプションとして、好ましくは分割式バックレストを有するシートベンチである。
【０００７】
本発明によれば、調整装置は、好ましくは自動車シートのバックレストに接続される少なくとも一つの第１継手と、好ましくは自動車シートのシート部材に接続される少なくとも一つの第２継手とを含み、その２つの継手同士の相対位置は、偏心器によって可変である。したがって、本発明に係る調整装置は、いわゆる波打ち調整装置であり、その主要な動作モードは、例えば特許文献１及び２により知られている。このため、これらの公報は参照として組み入れられて本開示の一部として適用可能である。すなわち偏心器は、手動により又はモータによりもたらされたトルクを第１継手に伝達する結果、当該継手を第２継手上で回転及び転動させる。好ましくは、第１継手は外歯を有し、かつ、第２継手は内歯を有する。これらは互いに噛合する。好ましくは、外歯が少なくともさらに一つの歯を有する結果、第１継手が第２継手において波打ちを行う。
【０００８】
偏心器は少なくとも一つの偏心器手段、例えば、回転駆動器に接続された駆動装置によって駆動されるウェッジである。好ましくは、駆動装置は、例えば駆動ピンのような駆動器上に形成される。当該駆動装置は、最初に偏心器手段をその固定位置から解放し、その後当該偏心器手段を駆動して第１継手を回転させる。駆動装置は、２つの位置すなわちニュートラル位置及び駆動位置に配置することができる。ニュートラル位置では、駆動装置は偏心器手段から離間する一方、駆動器位置では、駆動装置は偏心器手段を支承する。駆動装置は最初に、偏心器手段が駆動装置によって駆動されるようになる前に所定量の自由遊びを克服する必要がある。
【０００９】
この自由遊びを低減するべく、かつ、調整装置が、第１及び第２継手間で位置を変える場合にトルクが極力直接的に適用される効果を有することを達成するべく、駆動器を回転させると、第１及び第２継手間に摩擦接続がもたらされる。すなわち、摩擦によってトルクが駆動器から偏心器手段へ伝達される。このトルクは、偏心器手段をその固定位置から解放して当該偏心器手段を当該駆動器の回転方向に十分に遠くまで駆動するのに十分大きい。最終的に駆動装置が偏心器手段を支承する結果、駆動器の摩擦を受けるようになる。当業者であれば、駆動もまた摩擦接続を介して完全に達成できること、すなわちこの場合、駆動装置が存在しないか又は使用されないことがわかる。
【００１０】
本発明に係る調整装置は、相対的に簡単な構造であり操作が容易である。駆動装置と偏心器手段との間の所定量の自由遊びが許容されるので、所定の製造ばらつきをもって本発明に係る調整装置を製造することができる。適用されるトルクに対するギヤ機構の直接的な反作用をなしで済ませる必要はない。調整装置は、時計回り及び反時計回りに駆動することができる。
【００１１】
好ましくは、駆動器は、例えばピンのような円筒状コンポーネントである。これは、偏心器手段の内半径と協働する外半径を有する。特に好ましくは、これらの半径は、駆動器と偏心器手段との間に点接触又は線接触が生じるように異ならせて設計される。接触により、摩擦力が駆動器から偏心器手段へ伝達され、その結果当該偏心器手段が駆動器とともに回転する。
【００１２】
特に好ましくは、各偏心器手段の内半径は、同じ中心点を有しない２つの半径を有する。当該半径間の遷移領域は、駆動器の外半径と協働する。好ましくは、駆動器を偏心器手段に対して回転させることにより、点接触及び／又は線接触がもたらされる。これによって摩擦力が伝達される。
【００１３】
好ましくは、駆動器及び偏心器手段の寸法並びに／又はその互いに対する位置は互いに調整される。その結果、摩擦接続が、駆動器から離れたところで、すなわち駆動器の近くではないところで生じる。好ましくは、駆動器と偏心器手段との点接触又は線接触は、当該半径の１対１．５〜１対２．５分割箇所、特に好ましくは１対１．７５〜１対２．２５分割箇所に配列される。この分割は、駆動装置に面する端から接触点まで測定される偏心器の円弧セグメントである。
【００１４】
好ましくは、本発明に係る調整装置は２つの偏心器手段を含む。当該偏心器手段は好ましくは、鏡面対称に配列かつ構成される。駆動装置は、一方の回転方向において一方の偏心器手段と協働し、かつ、他方の回転方向において他方の偏心器手段と協働する。
【００１５】
加えて、上述は双方の偏心器手段に等しく当てはまる。双方の偏心器は、その回転方向にかかわらず、駆動器手段によって駆動される。
【００１６】
好ましくは、２つの偏心器手段の間に、当該偏心器手段を強制的に分離するばね手段が配列される。
【００１７】
好ましくは、偏心器手段の一方又は双方の外半径が支承シェルと協働する。特に好ましくは、この支承対は、極力小さな摩擦をもたらすべく設計される。
【００１８】
さらに好ましくは、例えば駆動ピンのような駆動器が、ブッシングに接続、好ましくは溶接される。
【００１９】
さらに好ましい実施形態では、例えば駆動ピンのような駆動器は、一以上の支承シェルの中に取り付けられる。
【００２０】
本発明に係る調整装置は、特に、自動車シートのバックレストの傾斜調整に対して適している。したがって、本発明のさらなる主題は、本発明に係る調整装置を含む自動車シートである。
【００２１】
好ましくは、かかる調整装置は、バックレストの及び／又は車両シートの右側及び左側に配列される。特に好ましくは、当該調整装置は、シャフトによって互いに接続される。そして、シャフトは手動又はモータにより駆動される。
【００２２】
第２の目的は、車両コンポーネント用の、特に車両シートのバックレスト用の調整装置であって、第１継手及び第２継手を有し、その２つの継手同士の相対位置は偏心器手段によって可変であり、当該偏心器手段の回転は駆動器要素によって与えられ、当該調整装置は、当該第１継手に回転固定的に接続された中心要素を有し、当該駆動器要素は、当該中心要素との重なり領域に取り付けられるように設けられる調整装置によって達成される。その結果、本発明によれば有利なことに、特に調整装置の電気モータによって駆動される特に動力付き又は電動駆動器の場合において、調整装置の高度の安定性及び摩耗耐性を達成することができる。本発明に係る傾斜調整継手及び／又は調整装置は、特許文献１により知られている傾斜調整継手とは異なるコンポーネントを使用する。これらのコンポーネントは、特に、ギヤプレート、アダプタ、ウェッジ要素及びばね要素に関する。本発明に係る調整装置は、こうした周知のコンポーネントとは別に、動力付き調整装置、特に修正された駆動器要素、修正された案内ブッシング及び中心要素として適合され及び／又は特に有利に使用される特定のコンポーネントを与える。したがって、特許文献１に開示される少なくとも周知のコンポーネントは、本特許出願において参照により組み込まれる。
【００２３】
本発明によれば、駆動器要素が、中心要素及び第１継手によって軸方向に固定されて設けられ、又は、駆動器要素が、中心要素と第１継手に回転固定的に接続された継手要素とによって軸方向に固定されて設けられるのが特に好ましい。その結果、有利には、特に調整装置を電気モータによって操作する場合に生じ得る特に荷重ピークの事象において、調整装置のかなりの強化及び安定化が得られる。
【００２４】
本発明によれば、駆動器要素が、中心要素と第１継手との間若しくは中心要素と継手要素との間に配列されるカラーを有すること、及び／又は、駆動器要素が、中心要素の凹みの中に突出して設けられる軸方向端を有することがさらに好ましい。凹みは好ましくは、実質的に円形の溝として設けられる。その結果、特に簡単な態様で調整装置の軸方向固定を有効にすること、及び／又は、特に安定しかつ荷重支承可能な調整装置の変形例を実装することができる。
【００２５】
さらに、本発明によれば、中心要素及び駆動器要素が実質的に同じサイズの内径を有することが好ましい。その結果、駆動器シャフトにより調整装置に及ぼされる軸方向作用力が存在しなくなる。その結果、荷重が低減される。
【００２６】
さらに、本発明によれば、駆動器要素が、回転動に対して駆動ピンと協働するべく設けられること、好ましくは形状嵌め接続が両者間に与えられることが好ましい。その結果、駆動器のトルクを、調整装置の調整を目的として簡単かつ信頼できる態様で伝達することができる。
【００２７】
さらに、本発明によれば、調整装置が積層タイプの構造であることが好ましい。その結果、調整装置をモジュラー設計で与え、ひいては当該調整装置を相対的に低コストで異なる要求に適合することができる。
【００２８】
本発明のさらなる主題は、本発明に係る調整装置を含む自動車シートであって、当該調整装置は、調整装置の調整を目的としてモータ、特に電気モータを含む動力付き配列及び／又は自動車シートのために設けられる自動車シートに関する。
【００２９】
本発明のさらなる主題は、本発明に係る調整装置を製造する方法であって、第１方法ステップにおいて、当該中心要素と当該第１継手とが又は当該中心要素と当該第１継手に回転固定的に接続された当該継手要素とが、駆動器要素の駆動器要素又はカラーを軸方向に固定することによって一緒に溶接され、及び／又は、第２方法ステップにおいて、当該調整装置のさらなるコンポーネントが取り付けられる方法に関する。その結果、本発明によれば有利なことに、第１方法ステップによって、調整装置の組み付け及び／又は取り付けを目的として安定した基礎を許容することができる。
【図面の簡単な説明】
【００３０】
本発明が、図１〜１４を参照して以下に説明される。かかる説明は単に例示として与えられ、一般的な発明概念を制限するものではない。
【００３１】
【図１】本発明に係る調整装置の分解図を示す。
【図２】本発明に係る調整装置の基本図を示す。
【図３】先行技術に係る調整装置の基本図を示す。
【図４】本発明に係る調整装置の一実施形態を示す。
【図５】本発明に係る調整装置のさらなる実施形態を示す。
【図６】本発明に係る調整装置の追加的な実施形態を示す。
【図７】本発明に係る調整装置の電動駆動器の主要コンポーネントを示す。
【図８】本発明に係る調整装置の部材を示す。
【図９】本発明に係る調整装置の２つの変形例を貫通する断面図を示す。
【図１０】部分的に取り付けられた本発明に係る調整装置の斜視図を示す。
【図１１】取り付けられた本発明に係る調整装置の斜視図を示す。
【図１２】取り付けられた本発明に係る調整装置の斜視図を示す。
【図１３】本発明に係る調整装置を含む車両シートの模式図を示す。
【図１４】本発明に係る調整装置の２つの変形例を貫通する断面図を示す。
【発明を実施するための形態】
【００３２】
図１は、本発明に係る調整装置の一実施形態の分解図を示す。当該調整装置は、バックレストアダプタ８及びシートアダプタ１１を含む。保持プレート６を使用してシートアダプタ１１が車両シートに締結、この場合はねじ留めされる。車両シートのバックレストには、バックレストアダプタ８が接続、好ましくは溶接される。当業者であれば、２つのアダプタ８、１１のこれらの機能に互換可能性があることがわかる。バックレストアダプタ８のシートアダプタ１１に対する相対位置は、２つのウェッジ２を含む偏心器１によって決定される。これら２つのウェッジ２は、好ましくは対称的に配列され、特に好ましくは回転軸Ｄを通って延びる直線に対して鏡面対称に配列される。２つのウェッジは、この場合はばね１０、好ましくは両端がウェッジ２の切り欠きに係合する環状ばねであるエネルギー蓄積機構によって強制的に分離される。エネルギー蓄積機構１０は偏心器の部材を形成する。さらに、ウェッジ２は、少なくとも一部が支承シェル１３内に配列されてその支持を受ける。支承シェル１３によって偏心器とシートアダプタ１１との摩擦が低減されるので、偏心器の滑らかな動きを達成することができる。さらに、本発明に係る装置は、手動又はモータ駆動の駆動ピン４を含む。この駆動ピン４は、以下に詳細に述べるとおり、その回転動を偏心器１に伝達する。その結果、駆動器４が回転すると外歯付きシートアダプタ１１が内歯付きバックレストアダプタ８内で回転する。駆動ピン４はブッシング７に接続、好ましくは溶接される。
【００３３】
本発明に係る装置の偏心器１が図２に示される。偏心器は、すでに述べたとおり、少なくともさらに一つの歯を含む内歯付き外部ギヤホイールの内側にある外歯付き内部ギヤホイール駆動するべく機能する。したがって、当該機構はいわゆる波打ち機構である。偏心器はウェッジ２によって形成される。ウェッジ２は、図示しないばね１０によって強制的に分離される。これにより、波打ち機構の接線方向の遊びが補償される。ウェッジ２は、駆動ピン４上に形成される駆動装置３によって少なくとも一時的に、一つの回転方向に又は対向する回転方向に駆動される。
【００３４】
例えば図３に示される手動で作動される既知の波打ち機構では、２つのウェッジ２は、静止したすなわち非回転のピン５に支承され、かつ、もっぱら駆動装置３と、回転方向の最も近くに位置するウェッジ２とが直接接触することによって駆動される。したがってニュートラル位置からは、駆動ピン４は最初に、駆動装置３が対応ウェッジ２に支承されるようになるまで所定量の自由遊びを克服する必要がある。この自由遊びは、製造ばらつきを補償し、ひいては駆動トルクを低く維持する上で望ましい。
【００３５】
しかしながら、本発明に係る駆動器、特に電動駆動器では、ギヤ機構の直接的な反作用が望ましい。したがって本発明によれば、その反作用が、ウェッジ２と駆動ピン４を回転させる駆動装置３との接触が対応ウェッジ２上の摩擦によるトルクを及ぼす前であっても与えられる。アーチ状に構成されたウェッジ２はこのため、駆動ピン４の外半径ｒよりも大きな曲率Ｒの内半径を有する。駆動装置に近接するウェッジ２の内円弧の近似的に１対２の分割領域において、駆動装置から離間したところに接触点Ｐ及び／又は接触線が形成される。接触点Ｐ及び／又は接触線を介して、関連ウェッジ２（この場合は右側のウェッジ）は、駆動装置３との接触前であっても、そのクランプ位置から解放されて駆動ピン４の回転方向に変位される。偏心器１により、２つの継手８、１１間の波打ち動が有効となる。しかしながら、ウェッジ２は、駆動伝達手段としてのみならず、その対応位置において非駆動状態にある偏心器を、内歯付きギヤホイール９から外歯付きギヤホイール１２へトルクが伝達される事象において、すなわち、例えばバックレストから偏心器１へトルクが伝達される事故事象において、追加的にブロックするべく機能する。
【００３６】
図４は、本発明に係る調整装置の第１設計を示す。この機構の必須部材は、シート部材側の保持プレート６、ブッシング７、内歯付きギヤホイール９を備えたバックレストアダプタ８、ウェッジ２を分離して広げるばね１０、外歯付きギヤホイール１２を備えたシート部材アダプタ１１、支承シェル１３、及び、駆動装置３が形成された駆動ピン４である。この場合、ブッシング７は、カラーが設けられた駆動ピン４と一緒に回転する。カラーと駆動ピン４とは、例えば溶接によって回転固定的に接続される。
【００３７】
さらなる実施形態が図５に示される。この実施形態は、図４に係る実施形態に実質的に対応する。この実施形態では、駆動ピン４は２つの支承シェル１４、１５の中で回転し、かつ、各端が、閉止プレート１６、１７に軸方向に固定されるように溶接される。
【００３８】
図６は、本発明に係る調整装置のさらなる実施形態を示す。この場合、調整装置は、バックレストアダプタ８に接続された軸受１８を含む。駆動器４は軸受１８に取り付けられる。この駆動器は、内面に形状嵌め及び／又は圧力嵌め接続手段４’を有する。これは例えば歯であり、電動駆動器の、対応する形状嵌め及び／又は圧力嵌め接続手段と協働する。軸受１８によって、特に、調整装置の耐用年数が改善される。
【００３９】
当業者であれば、調整装置が、積層態様で、すなわち層状に配列された複数のバックレストアダプタ８及び／又はシート部材アダプタ１１によって構築できることがわかる。
【００４０】
図７には、本発明に係る調整装置１０の動力付き変形例に必要な修正及び／又はコンポーネントが模式的に示される。参照番号１は、動力付きの本発明に係る調整装置の配列のための駆動器要素を示す。参照番号２は、動力付きの本発明に係る調整装置の配列の案内ブッシングを示す。参照番号３は、動力付きの本発明に係る調整装置の配列の中心要素を示す。
【００４１】
図８には、本発明に係る調整装置１０の部材が模式的に示される。第１継手４が、中心要素３及び駆動器要素１に追加して示される。
【００４２】
図９には、本発明に係る調整装置１０を貫通する断面図が模式的に示される。この場合、中心要素３と駆動器要素１との軸方向に延びる（調整装置１０の回転軸に沿って延びる）重なり領域５がわかる。図９の断面図からわかるように、第１継手４に対する回転が固定されて接続された中心要素３と第１継手４との及び／又は中心要素３と継手要素４．１との物質的な接続（特に溶接及び特にレーザ溶接）によって、駆動器要素１のカラー１．１ひいては同時に駆動器要素１自体もが、調整装置１０の回転軸に沿った軸方向変位に対して固定される。これは、本発明に係る調整装置１０の製造方法の第１方法ステップに対応する。これに引き続き、調整装置１０の他方のコンポーネント及び／又は部材が取り付けられる。これは、本発明に係る調整装置１０の製造方法の第２方法ステップに対応する。好ましくは、案内ブッシング２は、駆動器要素１に及び／又は第１若しくは第２継手４、９に接続及び／又は溶接される。その結果、調整装置１０が軸方向に分解される方向に作用する力に対抗する調整装置１０の挙動がさらに改善される。
【００４３】
図１４には、図７、８及び９に示された本発明に係る調整装置１０の変形例が、調整装置１０を貫通する模式的な断面図で示される。この場合、前述の図と同じ参照番号が、調整装置１０の同じコンポーネント及び／又は部材に適用される。図９に示された本発明に係る調整装置１０の変形例とは対照的に、図１４に係る変形例では、図９に示された駆動器要素１のカラー１．１の代わりに、駆動器要素１の軸方向端１．２が、中心要素３の実質的に円形の溝及び／又は凹み３．１の中に突出する。その結果、径方向において中心要素３のアンダーカットが駆動器要素１に対してもたらされる。これにより、この変形例に係る調整装置１０の荷重支承能力が増大され、さらには、特に駆動器要素１の端１．２の、駆動器要素のカラー１．１よりも小さくかつ軽量な設計により、重量、材料が節約され、及びコストが低減される。図１４に示される変形例ではさらに、中心要素３の駆動器要素１に対するアンダーカットの代替又は追加として、重なり領域５が、図９に係る重なり領域５の設計よりも大きく及び／又は長く設けられる。特に、重なり領域５の軸方向の延びが、図１４に係る変形例の偏心器手段６の領域を超えるように設けられる。
【００４４】
図１０には、部分的に取り付けられた本発明に係る調整装置の斜視図が模式的に示される。調整装置の半体に対応するサブアセンブリの取り付けが完了した後、調整装置は、特許文献１に与えられた態様で、すなわち、例えばウェッジ、ばね、ギヤプレート８、及び第２継手９並びに案内ブッシングの形態にある偏心器手段６によって、組み付けられる。
【００４５】
図１１及び１２には、完全に取り付けられた動力付きの本発明に係る調整装置１０の２つの斜視図が模式的に示される。この場合、案内ブッシング２は、駆動器要素に及び／又は第１継手４若しくは第２継手９に溶接される。
【００４６】
本発明によれば、特に好ましくは、調整装置１０が、車両コンポーネントとして車両シートに設けられ、かつ、調整装置１０が、バックレスト２０に加えてシート部材３０を含む車両シート４０のバックレスト２０の傾斜調整を目的として設けられる。これは、図１３に模式的に示されている。
【符号の説明】
【００４７】
１  偏心器、駆動器要素
１．１  カラー
１．２  駆動器要素の軸方向端
２  偏心器手段、ウェッジ、案内ブッシング
３  駆動装置、中心要素
３．１  凹み／溝
４  駆動器、駆動ピン、第１継手
４’  形状嵌め及び／又は圧力嵌め接続手段
４．１  継手要素
５  ピン（固定）、重なり領域
６  保持プレート、偏心器手段、ウェッジ
７  ブッシング、ばね
８  第１継手、バックレストアダプタ、ギヤプレート
９  ギヤホイール（内歯付き）、第２継手
１０  ばね
１１  第２継手、シート部材アダプタ
１２  ギヤホイール（外歯付き）
１３、１４、１５  支承シェル
１６、１７  閉止プレート
１８  軸受
Ｅ  偏心度
Ｐ  接触点
ｒ  駆動ピンの外半径
Ｒ  ウェッジの内半径
【図１】
0005908040.tif 000002
【図２】
0005908040.tif 000003
【図３】
0005908040.tif 000004
【図４】
0005908040.tif 000005
【図５】
0005908040.tif 000006
【図６】
0005908040.tif 000007
【図７】
0005908040.tif 000008
【図８】
0005908040.tif 000009
【図９】
0005908040.tif 000010
【図１０】
0005908040.tif 000011
【図１１】
0005908040.tif 000012
【図１２】
0005908040.tif 000013
【図１３】
0005908040.tif 000014
【図１４】
0005908040.tif 000015